(57)【要約】【課題】  陰極線管用ガラスファンネルのヨーク部とネック管との溶着時にその両対向端部間に生じる断面形状の不当な不一致、及びこれに起因する封着部周辺の外観性の悪化、並びに局部的な封着不良や封着強度上の問題を回避する。【解決手段】  ファンネル１における角形ヨーク部５の小開口端４側の端部領域に、大開口端６側に移行するに連れて、その外面８及び内面９の径方向寸法が全周に亘って均一に漸次増大する拡開部１０を設ける。拡開部１０は、小開口端４の端面４ａを始端として形成される。また、拡開部１０は、管軸Ｚを含む断面における外面８及び内面９の輪郭線が、その外周側であって且つ小開口端４の端面４ａよりもネック管３側の領域に曲率中心Ａ、Ｂをそれぞれ有する各単一の円弧で形成される。【選択図】図２
2005093325.tif 000002
【特許請求の範囲】
【請求項１】
管軸方向の一端と他端とに、略矩形の大開口端と円形の小開口端とをそれぞれ有すると共に、前記小開口端から角形ヨーク部及びこれに連なるボディ部を経て前記大開口端に至る側壁部を有し、且つ前記角形ヨーク部の小開口端側に円形のネック管が封着される陰極線管用ガラスファンネルにおいて、
前記角形ヨーク部の小開口端側の端部領域に、前記大開口端側に移行するに連れて、少なくともその外面の径方向寸法が全周に亘って均一に漸次増大する拡開部を設けたことを特徴とする陰極線管用ガラスファンネル。
【請求項２】
前記拡開部は、前記小開口端の端面を始端として形成されていることを特徴とする請求項１に記載の陰極線管用ガラスファンネル。
【請求項３】
前記拡開部は、管軸を含む断面における少なくとも外面の輪郭線が、その外周側であって且つ前記小開口端の端面よりもネック管側の領域に曲率中心を有する単一の円弧で形成されていることを特徴とする請求項１または２に記載の陰極線管用ガラスファンネル。
【請求項４】
前記拡開部の少なくとも外面と前記小開口端の端面との交差部から前記曲率中心に至る直線と、前記小開口端の端面の全域に接する平面とのなす角度が、３度〜１５度に設定されていることを特徴とする請求項３に記載の陰極線管用ガラスファンネル。
【請求項５】
前記拡開部は、管軸を含む断面における少なくとも外面の輪郭線が、管軸に対して傾斜する直線上に沿うように形成されていることを特徴とする請求項１または２に記載の陰極線管用ガラスファンネル。
【請求項６】
前記拡開部の少なくとも外面と前記管軸とのなす角度が、３度〜１５度に設定されていることを特徴とする請求項５に記載の陰極線管用ガラスファンネル。
【請求項７】
前記拡開部は、管軸に直交する断面における内面の輪郭線が、前記大開口端側に移行するに連れて、長軸方向及び短軸方向に寸法が減縮することなく、円形から略矩形に漸次変遷していくように形成されていることを特徴とする請求項１〜６の何れかに記載の陰極線管用ガラスファンネル。
【請求項８】
前記拡開部が形成されている領域は、前記小開口端の端面から２ｍｍまでの領域を下限とし、且つ該端面から１０ｍｍまでの領域を上限として設定されていることを特徴とする請求項１〜７の何れかに記載の陰極線管用ガラスファンネル。
【発明の詳細な説明】
【技術分野】
【０００１】
本発明は、陰極線管用ガラスファンネルに係り、詳しくは、ボディ部及び角形ヨーク部を有する側壁部を備えたファンネルにおけるネック管が封着される角形ヨーク部の封着端部の改良技術に関する。
【背景技術】
【０００２】
周知のように、陰極線管は、主たる構成要素として、略矩形の画像表示部を有する陰極線管用ガラスパネル（以下、単にパネルともいう）と、該パネルと封合され且つ内部を電子ビームが通過する陰極線管用ガラスファンネル（以下、単にファンネルともいう）とを備える。図６に示すように、前記ファンネル１は、側壁部２として、ネック管３が封着（溶着）される小開口端４を有するヨーク部５と、該ヨーク部５に一体に連なり且つパネルとの封合に供される略矩形の大開口端６を有するボディ部７とを備え、前記ヨーク部５の外周側には、偏向ヨーク（図示略）が装着される構成とされている。なお、図６に符号ＳＡで示す直線は、短軸を表わし、符号ＬＡで示す直線は、長軸を表わし、符号ＤＡで示す直線は、対角軸を表わす。
【０００３】
このファンネル１のヨーク部５は、偏向ヨークの電力消費量を削減しつつ前記パネルの略矩形の画像表示部に良質の画像を映し出すこと等を目的として、その管軸Ｚに直交する断面形状が略矩形の部位を有する所謂角形（角錐状）とされている。したがって、この角形のヨーク部（以下、角形ヨーク部という）５は、ファンネル１の側壁部２を、略矩形の大開口端６の形状にできるだけ近似させた状態で小開口端４の近傍に至らせ、該小開口端４の形状をネック管３の形状に合致させる形態を有している。
【０００４】
そして、このファンネル１のヨーク部５における小開口端４には、下記の特許文献１〜３に開示のように、真円形または略真円形や長円形または楕円形に代表される円形のネック管３が封着される。この場合、これらの各文献によれば、ファンネル１のヨーク部５における小開口端４側の端部領域は、以下に示すような形状とされている。
【０００５】
すなわち、特許文献１の図３、特許文献２の図６、並びに特許文献３の第６図及び第１１図に示されたヨーク部５の管軸Ｚに直交する面の等高線によれば、直近の二つの等高線の相互間離隔寸法は、長軸ＬＡに沿う方向が短軸ＳＡに沿う方向よりも長尺とされている。詳しくは、ヨーク部５の小開口端４側における端部領域の管軸Ｚに直交する断面における輪郭線は、大開口端６側に移行するに連れて、長軸ＬＡに沿う方向が短軸ＳＡに沿う方向よりも長い寸法ずつ漸次増大することになる（詳細は、特許文献２の２６６頁、左下欄の１３行目〜１６行目の記載事項を参照）。
【特許文献１】特開２０００−１３３１７０号公報（図３）
【特許文献２】特開昭５６−６３７５７号公報（図６）
【特許文献３】特開昭５６−６１７４７号公報（第６図、第１１図）
【発明の開示】
【発明が解決しようとする課題】
【０００６】
ところで、ヨーク部５の小開口端４側の端部領域が、上述のような形状であると、ファンネル１とネック管３とをバーナーフレーム等を用いて封着（溶着）する際に、ヨーク部５の小開口端４側の端部におけるガラス溶融量にバラツキが生じた場合には、溶着部の全周に亘って均一な溶着形態及び均一な溶着肉厚を確保できなくなるという不具合を招く。
【０００７】
詳述すると、例えばネック管３が真円形である場合に、ヨーク部５の当該端部のガラス溶融量が過多であると、当該端部の真円形部分近傍が溶融することにより、当該端部の断面形状が、そのガラスの溶融分に応じた寸法だけ大開口端６側に移行した位置の断面形状、つまり長軸ＬＡに沿う方向に長尺な長円形または楕円形に近づく傾向がある。したがって、ヨーク部５とネック管３との両対向端部の形状が合致しなくなり、両者の溶着を良好に行なえなくなると共に、長軸ＬＡに沿う方向にヨーク部５の当該端部が局部的に突出することになり、溶着部周辺が全周に亘って均一な形態となることが阻害される。この結果、溶着部周辺の外観性や見栄えの悪化を招くばかりでなく、長軸ＬＡに沿う方向で溶着部が局部的に薄肉になる等の溶着不良が発生し、溶着部周辺において強度上の問題を招くおそれがある。
【０００８】
また、例えばネック管３が長円形または楕円形の場合であっても、ヨーク部５の当該端部のガラス溶融量が過多であると、当該端部の断面形状がネック管３の断面形状よりも更に長軸ＬＡに沿う方向に長尺な長円形または楕円形となり、両者の対向端部の形状が合致しなくなることから、上記と同様の問題が生じ得る。
【０００９】
本発明は、上記事情に鑑みてなされたものであり、ファンネルのヨーク部の小開口端側における端部の形状に改良を加えることにより、ヨーク部とネック管との溶着時にその両対向端部間に生じる断面形状の不当な不一致、及びこれに起因する封着部周辺の外観性等の悪化、並びに局部的な封着不良や封着強度上の問題を回避することを技術的課題とする。
【課題を解決するための手段】
【００１０】
上記技術的課題を解決するためになされた本発明は、管軸方向の一端と他端とに、略矩形の大開口端と円形の小開口端とをそれぞれ有すると共に、前記小開口端から角形ヨーク部及びこれに連なるボディ部を経て前記大開口端に至る側壁部を有し、且つ前記角形ヨーク部の小開口端側に円形のネック管が封着される陰極線管用ガラスファンネルにおいて、前記角形ヨーク部の小開口端側の端部領域に、前記大開口端側に移行するに連れて、少なくともその外面の径方向寸法が全周に亘って均一に漸次増大する拡開部を設けたことを特徴とするものである。
【００１１】
この場合、上記の記載中における「円形」とは、真円形或いは略真円形のみならず、長円形或いは楕円形をも含むものである。また、「角形ヨーク部」とは、ヨーク部のうちの小開口端側の端部領域周辺を除く部分が、四つのコーナー部の相互間に各辺部を有すると明確に把握できる形態をなすものを意味する。更に、上記の構成における「拡開部」は、角形ヨーク部の小開口端側における端部領域の内面についても、大開口端側に移行するに連れて、その径方向寸法が全周に亘って均一に漸次増大するものであってもよい。なお、本発明に係るファンネルは、ネック管と封着されていないものであり、したがって角形ヨーク部における小開口端側の端部領域の形状は、ネック管と封着されていない状態における形状である。また、上記の「拡開部」は、小開口端の端面を始端として形成されている必要はなく、例えば小開口端の端面から大開口端側に向かって所定長さの領域については、径が同一のストレート部としておき、このストレート部に上記の拡開部が連続する形態としてもよい。但し、このようにする場合には、ストレート部の管軸方向長さを、拡開部の１／２未満とすることが好ましい。更に、上記の「全周に亘って均一に漸次増大する」とは、径方向寸法が全周に亘って同一寸法だけ漸次増大することを意味する。
【００１２】
このような構成によれば、ファンネルとネック管とをバーナーフレーム等を用いて封着（溶着）する際に、角形ヨーク部の小開口端側の端部におけるガラス溶融量にバラツキが生じた場合であっても、常に溶着部の全周に亘って均一な溶着形態及び均一な溶着肉厚を確保することが可能となる。詳述すると、例えばネック管が真円形である場合に、角形ヨーク部の当該端部のガラス溶融量が過多であることにより、当該端部の断面形状が、そのガラスの溶融分に応じた寸法だけ大開口端側に移行した位置の断面形状となっても、その断面形状は真円形となる。したがって、角形ヨーク部とネック管との両対向端部は、径が若干相違したとしても、その形状は同一であるため、角形ヨーク部の当該端部が局部的に外周側に突出することはなくなり、溶着部周辺が全周に亘って均一な形態となる。この結果、角形ヨーク部に進入した直後の電子ビームを適度に拡開させることが可能な形状とした上で、溶着部周辺の外観性や見栄えの悪化が適度に抑制されると共に、長軸に沿う方向で溶着部が局部的に薄肉になる等の溶着不良が生じ難くなり、溶着部周辺における強度上の問題も効果的に回避される。このような作用効果は、ネック管が長円形または楕円形の場合であっても、同様にして得ることができる。
【００１３】
このような構成において、前記拡開部は、前記小開口端の端面を始端として形成されていることが好ましい。換言すれば、小開口端の端面を始端として、角形ヨーク部の少なくとも外面の径方向寸法が、大開口端側に移行するに連れて、その全周に亘って均一に漸次増大するように形成されていることが好ましい。
【００１４】
このようにすれば、小開口端の端面から大開口端側に向かう所定長さのストレート部が存在しないことになるため、ネック管内から角形ヨーク部内に向かう電子ビームを、角形ヨーク部内に進入した直後から拡開させても、電子ビームと角形ヨーク部とが干渉する確率は大幅に低くなる。これにより、良質の画像をパネルに映し出すことが可能となるばかりでなく、陰極線管の管軸方向寸法を短尺にしてディスプレイの薄型化を図ることが可能となる。
【００１５】
以上の構成において、前記拡開部は、管軸を含む断面における少なくとも外面の輪郭線が、その外周側であって且つ前記小開口端の端面よりもネック管側の領域に曲率中心を有する単一の円弧で形成されていることが好ましい。この場合、前記拡開部の管軸を含む断面における内面の輪郭線についても、同様の円弧で形成されていることがより好ましい。
【００１６】
このようにすれば、ネック管内から角形ヨーク部内に進入した電子ビームを、その向きを変えて拡開させる場合に、電子ビームはその特性に起因して屈曲状よりも円弧状に湾曲させることが容易であり且つ好都合であることから、電子ビームの通過経路を角形ヨーク部の小開口端周辺の形状に精度良く合致させることができる。これにより、角形ヨーク部の内部空間に無駄が生じることを可及的に抑制することができ、角形ヨーク部ひいてはファンネルの小型化及び軽量化を図ることが可能となる。しかも、単一の円弧の曲率中心は、拡開部の外周側であって且つ小開口端の端面よりもネック管側の領域に設けられているので、電子ビームが角形ヨーク部の拡開部内に進入した直後に、その電子ビームをより大きく拡開させることができ、陰極線管の管軸方向寸法の短尺化ひいてはディスプレイの薄型化を図る上で、より一層有利となる。
【００１７】
この場合の構成において、前記拡開部の少なくとも外面と前記小開口端の端面との交差部から前記曲率中心に至る直線と、前記小開口端の端面の全域に接する平面とのなす角度が、３度〜１５度に設定されていることが好ましい。この場合、前記拡開部の内面も、同様に設定されていることがより好ましい。
【００１８】
このようにすれば、電子ビームが角形ヨーク部の拡開部内に進入した直後におけるその電子ビームの拡開度合を適切化した上で、角形ヨーク部とネック管との封着を強固なものとすることが可能となる。すなわち、上記の角度が３度未満であると、電子ビームの拡開度合が不足がちとなり、陰極線管及びディスプレイの薄型化を図る上で不利となる一方、上記の角度が１５度を超えると、角形ヨーク部とネック管との封着部における屈曲度合が大きくなり過ぎ、強度上の問題が生じる。したがって、この角度を上記の数値範囲内に設定しておけば、このような不具合を回避することが可能となる。
【００１９】
また、上記の構成において、前記拡開部は、管軸を含む断面における少なくとも外面の輪郭線が、管軸に対して傾斜する直線上に沿うように形成されていてもよい。
【００２０】
このようにすれば、拡開部周辺の形状がいたずらに複雑になること等を阻止して、ファンネル成形用金型の設計製作の容易化を図りつつ、拡開部に進入した直後の電子ビームを拡開させることによる効果を充分に確保することができる。
【００２１】
そして、この場合にも、前記拡開部の少なくとも外面と前記管軸とのなす角度を、３度〜１５度に設定すれば、上述の数値限定による場合と同様の作用効果が得られる。
【００２２】
一方、前記拡開部の内面に関しては、良好な成形性の確保等を考慮すれば、管軸に直交する断面における内面の輪郭線が、大開口端側に移行するに連れて、円形（真円形または略真円形や長円形または楕円形）からそれよりも径の大きな円形に漸次変遷していくように形成されていてもよい。
【００２３】
然るに、前記拡開部は、管軸に直交する断面における内面の輪郭線が、大開口端側に移行するに連れて、長軸方向及び短軸方向に寸法が減縮することなく、円形から略矩形に漸次変遷していくように形成されていることが好ましい。
【００２４】
このようにすれば、拡開部内に進入した電子ビームの全集合体の通過経路を早期に矩形に近づけることができるため、その電子ビームの適度な拡開と相俟って、拡開部からパネルの画像表示部までの距離を短くできるようになり、陰極線管及びディスプレイの更なる薄型化を図ることが可能となる。
【００２５】
以上の構成において、前記拡開部が形成されている領域は、前記小開口端の端面から２ｍｍまでの領域を下限とし、且つ該端面から１０ｍｍまでの領域を上限として設定されていることが好ましい。
【００２６】
このようにすれば、ヨーク部とネック管との封着強度を充分に確保した上で、角形ヨーク部の拡開部から角形部分への繋がりを滑らかな連続状態に維持しつつ、角形ヨーク部が本来有する機能を充分に発揮できることになる。すなわち、拡開部が小開口端の端面から２ｍｍ未満までの領域に形成されると、角形ヨーク部とネック管との封着部周辺に急激な形状変化が現れ、強度上の問題が生じる一方、拡開部が該端面から１０ｍｍを超える範囲に形成されると、外面が円形の拡開部から角形部分への繋がりが滑らかでなくなると共に、その角形部分の管軸方向寸法が不足して、偏向ヨークの電力消費量を削減しつつパネルに良質の画像を映し出すことが困難となる。したがって、拡開部の形成される領域が上記の範囲内にあれば、このような不具合は生じないことになる。
【発明の効果】
【００２７】
以上のように本発明に係る陰極線管用ガラスファンネルによれば、ファンネルとネック管とをバーナーフレーム等を用いて溶着する際に、角形ヨーク部の小開口端側における端部のガラス溶融量にバラツキが生じた場合であっても、常に溶着部の全周に亘って均一な溶着形態及び均一な溶着肉厚を確保することが可能となる。これにより、角形ヨーク部に進入した直後の電子ビームを適度に拡開させることを可能とした上で、溶着部周辺の外観性や見栄えの悪化が適度に抑制されると共に、長軸に沿う方向で溶着部が局部的に薄肉になる等の溶着不良が生じ難くなり、溶着部周辺における強度上の問題等が効果的に回避される。
【００２８】
そして、拡開部が、角形ヨーク部の小開口端の端面を始端として形成されていれば、小開口端の端面からのストレート部が存在しないことになるため、ネック管内から角形ヨーク部内に向かう電子ビームを、角形ヨーク部内に進入した直後から拡開させても、角形ヨーク部との干渉が生じなくなり、これにより良質の画像をパネルに映し出すことが可能となると共に、陰極線管及びディスプレイの薄型化を図ることが可能となる。
【００２９】
また、拡開部における管軸を含む断面の少なくとも外面の輪郭線が、その外周側であって且つ小開口端の端面よりもネック管側の領域に曲率中心を有する単一の円弧で形成されていれば、電子ビームの通過経路をヨーク部の小開口端周辺の形状に合致させて、角形ヨーク部の内部空間に無駄が生じることを可及的に抑制することができると共に、角形ヨーク部の拡開部内に進入した直後の電子ビームをより大きく拡開させることができ、陰極線管及びディスプレイの薄型化を図る上で、より一層有利となる。
【００３０】
この場合、拡開部の少なくとも外面と小開口端の端面との交差部から曲率中心に至る直線と、小開口端の端面の全域に接する平面とのなす角度を、３度〜１５度に設定すれば、電子ビームがヨーク部の拡開部内に進入した直後におけるその電子ビームの拡開度合を適切化した上で、ヨーク部とネック管との封着を強固なものとすることが可能となる。
【００３１】
また、拡開部における管軸を含む断面の少なくとも外面の輪郭線が、管軸に対して傾斜する直線上に沿うように形成すれば、拡開部周辺の形状がいたずらに複雑になること等を阻止して、ファンネル成形用金型の設計製作の容易化を図りつつ、拡開部に進入した直後の電子ビームを拡開させることによる効果を充分に確保することができる。
【００３２】
そして、この場合にも、拡開部の少なくとも外面と管軸とのなす角度を、３度〜１５度に設定すれば、上述の数値限定による場合と同様の作用効果が得られる。
【００３３】
更に、拡開部における管軸に直交する断面の内面の輪郭線が、大開口端側に移行するに連れて、長軸方向及び短軸方向に寸法が減縮することなく、円形から略矩形に漸次変遷していくように形成すれば、拡開部内に進入した電子ビームの全集合体の通過経路を早期に矩形に近づけることができるため、その電子ビームの適度な拡開と相俟って、陰極線管及びディスプレイの更なる薄型化を図ることが可能となる。
【００３４】
加えて、拡開部が形成されている領域が、小開口端の端面から２ｍｍまでの領域を下限とし且つ１０ｍｍまでの領域を上限として設定されていれば、角形ヨーク部とネック管との封着強度を充分に確保した上で、角形ヨーク部の拡開部から角形部分への繋がりを滑らかな連続状態に維持しつつ、角形ヨーク部が本来有する機能を充分に発揮できることになる。
【発明を実施するための最良の形態】
【００３５】
以下、本発明の実施形態を添付図面を参照して説明する。なお、本発明の実施形態に係る陰極線管用ガラスファンネルの基本的構成は、既述の図６に示す従来例に係るものと同一であるので、以下の説明及びその説明で参照する各図において、図６に示す従来例と共通の構成要件については同一符号を使用し、その詳細な説明を省略する。
【００３６】
図１は、本発明の第一実施形態に係る陰極線管用ガラスファンネルを示す要部破断概略正面図である。なお、同図において、符号ＳＡで示す断面（一点鎖線で示す断面）は、短軸ＳＡと管軸Ｚとを含む断面を示し、符号ＬＡで示す断面（実線で示す断面）は、長軸ＬＡと管軸Ｚとを含む断面を示し、符号ＤＡで示す断面は（二点鎖線で示す断面）は、対角軸ＤＡと管軸Ｚとを含む断面を示す。また、同図においては、便宜上、ハッチングの付記を省略する（以下の各図も同様）。
【００３７】
図１に示すように、本発明の第一実施形態に係るファンネル１は、その側壁部２が、ネック管３と封着（溶着）される小開口端４を有する角形ヨーク部５と、該角形ヨーク部５に一体に連なり且つパネルとの封合に供される略矩形の大開口端６を有するボディ部７とから構成され、前記ヨーク部５の外周側には、偏向ヨークが装着される。
【００３８】
図２(a)は、前記ファンネル１の角形ヨーク部５の略全体を示す縦断正面図であって、上述のネック管３が溶着される以前の形態を例示するものである。同図に示すように、角形ヨーク部５の小開口端４側の端部領域には、大開口端６側に移行するに連れて、その外面８及び内面９の径方向寸法が全周に亘って同一寸法だけ漸次増大する拡開部１０が設けられている。詳述すれば、この拡開部１０を、管軸Ｚに沿う方向の二箇所の断面について考察すると、一の断面の外面８（内面９も同様）と、他の断面の外面８（内面９）との径方向寸法の差分が、全周に亘って等しくなっている。
【００３９】
そして、この実施形態では、拡開部１０は、角形ヨーク部５の小開口端４の端面４ａを始端として、その端面４ａからの離隔寸法Ｔが２ｍｍ〜１０ｍｍの領域に形成されている。詳しくは、角形ヨーク部５に形成された拡開部１０の外面８の輪郭線は、該角形ヨーク部５の外周側であって且つ小開口端４の端面４ａよりもネック管３側の領域に第一曲率中心Ａを有する単一の円弧で形成されている。また、拡開部１０の内面９の輪郭線も、該角形ヨーク部５の外周側であって且つ小開口端４の端面４ａよりもネック管３側の領域に第二曲率中心Ｂを有する単一の円弧で形成されている。
【００４０】
更に、この拡開部１０の外面８と小開口端４の端面４ａとの交差部から第一曲率中心Ａに至る直線Ｌ１と、小開口端４の端面４ａの全域に接する平面Ｐとのなす角度α１は、３度〜１５度の範囲内に設定されている。また、この拡開部１０の内面９と小開口端４の端面４ａとの交差部から第二曲率中心Ｂに至る直線Ｌ２と、小開口端４の端面４ａの全域に接する平面Ｐとのなす角度α２も、３度〜１５度の範囲内に設定されている。
【００４１】
図２(b)に符号ｃ、ｄ、ｅ、ｆで示す図は、図２(a)に示す角形ヨーク部５の拡開部１０を、ｃの位置、ｄの位置、ｅの位置、ｆの位置でそれぞれ切断した管軸Ｚに直角な断面図である。なお、符号ｃで示す図は、小開口端４の端面４ａの底面視形状と同一である。図２(b)から把握できるように、拡開部１０の外面８は、大開口端６側に移行するに連れて、真円形または略真円形を維持した状態で、その径が漸次増大しているのに対して、拡開部１０の内面９は、大開口端６側に移行するに連れて、長軸ＬＡ方向及び短軸ＳＡ方向に寸法が減縮することなく、真円形または略真円形から略矩形に漸次変遷している。
【００４２】
このような構成によれば、角形ヨーク部５の端面４ａとネック管３の端面とをバーナーフレーム等により加熱して溶着する際に、通常のガラス溶融量である場合には、拡開部１０の端面が図２(b)に符号ｃで示す形態に近い形態でネック管３と溶着されるが、溶着時にバラツキが生じてガラス溶融量が過多となった場合には、その溶融したガラスの付着を伴って拡開部１０の端面が例えば同図に符号ｄで示す形態となる。
【００４３】
この場合、ネック管３の対向端面は、同図に符号ｃで示す形態と略同一とされていることから、上記のガラス溶融量が過多の場合における拡開部１０の端面とネック管３の対向端面とでは、径が若干相違するものの、その両者の形状は真円形または略真円形であって同一であるため、拡開部１０の端面がネック管３の対向端面から局部的に外周側に突出することはなくなり、溶着部周辺が全周に亘って均一な形態となる。
【００４４】
また、拡開部１０の内面９は、その端面４ａを始端として大開口端６側に移行するに連れて、形状変化を伴なって径が漸次増大しており、しかも管軸Ｚを含む断面における内面９の輪郭線は、端面４ａよりもネック管３側に配置された第二曲率中心Ｂを有する単一の円弧であることから、図３に示すように、ネック管３から角形ヨーク部５に進入する電子ビームＸが、進入直後に拡開したとしても、電子ビームＸは拡開部１０の内面９と干渉することなく、角形ヨーク部５を通過していくことが可能となる。
【００４５】
図４(a)は、本発明の第二実施形態に係るファンネル１の角形ヨーク部５の略全体を示す縦断正面図である。
【００４６】
この第二実施形態に係るファンネル１が、既述の第一実施形態に係るファンネル１と相違している点は、拡開部１０の管軸Ｚを含む断面における外面８及び内面９の輪郭線が、管軸Ｚに対して傾斜する直線上に沿うように形成されている点と、拡開部１０を図４(a)のｇ、ｈ、ｉ、ｊの位置で切断した管軸Ｚに直交する断面形状が、図４(b)に符号ｇ、ｈ、ｉ、ｊで示すように、外面８と内面９との双方共に、真円形または略真円形を維持しつつ大開口端６側に移行するに連れて径が漸次増大する形態とされている点とである。そして、この第二実施形態においても、図４(a)に示すように、拡開部１０の外面８及び内面９と管軸Ｚとのなす角度β１、β２は、何れも３度〜１５度の範囲内に設定されている。したがって、この第二実施形態に係るファンネル１においても、既述の実施形態に係るファンネル１と同一の作用効果が得られる。
【００４７】
なお、この第二実施形態における拡開部１０の管軸Ｚに直交する断面形状は、既述の第一実施形態と同様に図２(b)に示す形態であってもよく、また、これとは逆に、既述の第一実施形態における拡開部１０の管軸Ｚに直交する断面形状が、この第二実施形態と同様に図４(b)に示す形態であってもよい。
【００４８】
更に、本発明は、以上の実施形態に限定されるわけではなく、例えば図５に示すように、拡開部１０の端面４ａを始端として所定長さｙに亘って径が変化しないストレート部１１を形成し、このストレート部１１に上記の何れかの拡開部１０を連続して連ならせるようにしてもよい。但し、このようにした場合には、図３に示す場合と同様の経路に沿って通過する電子ビームＸが、図５に示すように拡開部１０に進入した場合には、拡開部１０の内面９と干渉することになる点で不利であるが、ネック管３との溶着時にガラスの溶融がストレート部１１を超えて拡開部１０に達した場合に関しては、既述の場合と同様の作用効果を得ることができる。
【００４９】
また、以上の実施形態は、ネック管３及び拡開部１０の端面４ａが、真円形または略真円形である場合に本発明を適用したが、これらが長円形または楕円形であっても同様に本発明を適用することができる。すなわち、この場合にも、拡開部１０の管軸Ｚに沿う方向における任意の二箇所の断面（管軸Ｚに直交する断面）について考察すれば、一の断面の外面８（内面９が拡開部１０の全長に亘って長円形または楕円形の場合は、内面９も同様）と、他の断面の外面８（内面９）との径方向寸法の差分が、全周に亘って等しくなる形状とされる。なお、この場合における拡開部１０の任意の二箇所の断面は、外面８の形状が互いに略相似の関係に保たれるようにすることも可能である。
【図面の簡単な説明】
【００５０】
【図１】本発明の第一実施形態に係る陰極線管用ガラスファンネルを示す要部破断正面図である。
【図２】図２(a)は、本発明の第一実施形態に係る陰極線管用ガラスファンネルの角形ヨーク部を示す拡大縦断正面図、図２(b)は、その角形ヨーク部の拡開部を模式的に示す管軸に直交する断面図である。
【図３】本発明の第一実施形態に係る陰極線管用ガラスファンネルの角形ヨーク部の作用を示す要部拡大縦断正面図である。
【図４】図４(a)は、本発明の第二実施形態に係る陰極線管用ガラスファンネルの角形ヨーク部を示す拡大縦断正面図、図４(b)は、その角形ヨーク部の拡開部を模式的に示す管軸に直交する断面図である。
【図５】本発明の第三実施形態に係る陰極線管用ガラスファンネルの角形ヨーク部及びその作用を示す要部拡大縦断正面図である。
【図６】従来の陰極線管用ガラスファンネルを示す斜視図である。
【符号の説明】
【００５１】
１  ファンネル（陰極線管用ガラスファンネル）
２  側壁部
３  ネック管
４  小開口端
4a  小開口端側の端面
５  角形ヨーク部
６  大開口端
７  ボディ部
８  外面
９  内面
10  拡開部
Ａ  第一曲率中心
Ｂ  第二曲率中心
Ｔ  離隔寸法
Ｚ  管軸
α１、α２  拡開部の外面と小開口端の端面との交差部から曲率中心に至る直線と、小開口端の端面の全域に接する平面とのなす角度
β１、β２  拡開部の外面及び内面と管軸とのなす角度
【図１】
2005093325.tif 000003
【図２】
2005093325.tif 000004
【図３】
2005093325.tif 000005
【図４】
2005093325.tif 000006
【図５】
2005093325.tif 000007
【図６】
2005093325.tif 000008